(57)【要約】【課題】選択するにふさわしいと推測されるコンテンツデータを、容易に選択して再生することができるデータ再生装置を提供する。【解決手段】過去に記録・再生部１０１で再生されたコンテンツデータと該コンテンツデータが再生された日時である再生日時情報とを関連付けた再生履歴データを、制御部１０４で生成する。生年月日記憶部１０８に記憶された使用者の生年月日と、日時情報生成部１０７で生成された現在の日時情報と、前記再生履歴データとを用いて、現在再生するにふさわしいと推測されるコンテンツデータを、制御部１０４により検索して抽出する。該抽出されたコンテンツデータを、記録・再生部１０１により再生する。【選択図】　図１
2004070495.tif 000002
【特許請求の範囲】
【請求項１】
コンテンツデータを再生するデータ再生装置であって、
特定の日時情報を記憶する日時情報記憶手段と、
現在の日時情報を生成する日時情報生成手段と、
コンテンツデータに対する使用者の選択を受け付けて、この選択に基づいてコンテンツデータを再生した場合に、再生されたコンテンツデータと、再生をおこなった日時についての情報である再生日時情報とを関連付けた再生履歴データを生成する再生履歴データ生成手段と、
前記日時情報記憶手段により記憶された特定の日時情報と、前記日時情報生成手段により生成された現在の日時情報と、前記再生履歴データとを用いて、現在再生するにふさわしいと推測されるコンテンツデータを検索して抽出するコンテンツデータ検索手段と、
該コンテンツデータ検索手段により検索して抽出されたコンテンツデータを再生する再生手段と、
を、有することを特徴とするデータ再生装置。
【請求項２】
コンテンツデータを再生するデータ再生装置であって、
特定の日時情報と、現在の日時情報と、過去に再生されたコンテンツデータと該コンテンツデータが再生された日時についての情報である再生日時情報とを関連付けた再生履歴データとを取得し、
前記特定の日時情報と、前記現在の日時情報と、前記再生履歴データとを用いて、現在再生するにふさわしいと推測されるコンテンツデータを検索して抽出するコンテンツデータ検索手段と、
該コンテンツデータ検索手段により検索して抽出されたコンテンツデータを再生する再生手段と、
を、有することを特徴とするデータ再生装置。
【請求項３】
請求項１または請求項２記載のデータ再生装置であって、
前記特定の日時情報が、使用者の生年月日であることを特徴とするデータ再生装置。
【請求項４】
請求項１記載のデータ再生装置であって、
前記再生履歴データ生成手段は、コンテンツデータに対する使用者の選択を受け付けて、この選択に基づいてコンテンツデータを、予め定められた時間以上再生した場合にのみ、前記再生履歴データを生成することを特徴とするデータ再生装置。
【請求項５】
請求項１または請求項２記載のデータ再生装置であって、
前記コンテンツデータ検索手段は、前記特定の日時情報と、前記再生日時情報と、前記再生履歴データとを用いて、前記データ再生装置の使用者の体調を推測し、該推測された使用者の体調に基づいて、現在再生するにふさわしいと推測されるコンテンツデータを検索して抽出することを特徴とするデータ再生装置。
【請求項６】
請求項１または請求項２記載のデータ再生装置であって、
前記再生手段は、前記コンテンツデータ検索手段により検索して抽出されたコンテンツデータが複数存在した場合に、抽出回数が多い順にコンテンツデータを再生することを特徴とするデータ再生装置。
【請求項７】
請求項１または請求項２記載のデータ再生装置であって、
前記再生手段は、前記コンテンツデータ検索手段により検索して、同一のコンテンツデータが複数回抽出された場合に、該コンテンツデータを１回だけ再生することを特徴とするデータ再生装置。
【請求項８】
コンテンツデータを再生するデータ再生装置におけるデータ検索方法であって、
特定の日時情報を記憶し、
現在の日時情報を生成し、
コンテンツデータに対する使用者の選択を受け付けて、この選択に基づいてコンテンツデータを再生した場合に、再生されたコンテンツデータと、再生をおこなった日時についての情報である再生日時情報とを関連付けた再生履歴データを生成し、
前記特定の日時情報と、前記現在の日時情報と、前記再生履歴データとを用いて、現在再生するにふさわしいと推測されるコンテンツデータを検索することを特徴とするデータ検索方法。
【請求項９】
コンテンツデータを再生するデータ再生装置におけるデータ検索方法であって、
特定の日時情報と、現在の日時情報と、過去に再生されたコンテンツデータと該コンテンツデータが再生された日時についての情報である再生日時情報とを関連付けた再生履歴データとを取得し、
前記特定の日時情報と、前記現在の日時情報と、前記再生履歴データとを用いて、現在再生するにふさわしいと推測されるコンテンツデータを検索することを特徴とするデータ検索方法。
【請求項１０】
コンテンツデータを再生するデータ再生装置におけるデータ再生方法であって、
特定の日時情報を記憶し、
現在の日時情報を生成し、
コンテンツデータに対する意図的な選択を受け付けて、この選択に基づいてコンテンツデータを再生した場合に、再生されたコンテンツデータと、該コンテンツデータが再生された日時についての情報である再生日時情報とを関連付けた再生履歴データを生成し、
前記特定の日時情報と、前記現在の日時情報と、前記再生履歴データとを用いて、現在再生するにふさわしいと推測されるコンテンツデータを検索して抽出し、
該抽出されたコンテンツデータを再生することを特徴とするデータ再生方法。
【請求項１１】
コンテンツデータを再生するデータ再生装置におけるデータ再生方法であって、
特定の日時情報と、現在の日時情報と、過去に再生されたコンテンツデータと該コンテンツデータが再生された日時についての情報である再生日時情報とを関連付けた再生履歴データとを取得し、
前記特定の日時情報と、前記現在の日時情報と、前記再生履歴データとを用いて、現在再生するにふさわしいと推測されるコンテンツデータを検索して抽出し、
該抽出されたコンテンツデータを再生することを特徴とするデータ再生方法。
【請求項１２】
コンテンツデータを再生するデータ再生装置におけるデータ検索方法をコンピュータに実行させるためのプログラムであって、
特定の日時情報を記憶する機能と、
現在の日時情報を生成する機能と、
コンテンツデータに対する選択を受け付けて、この選択に基づいてコンテンツデータを再生した場合に、再生されたコンテンツデータと、再生をおこなった日時についての情報である再生日時情報とを関連付けた再生履歴データを生成し、前記特定の日時情報と、前記現在の日時情報と、前記再生履歴データとを用いて、現在再生するにふさわしいと推測されるコンテンツデータを検索する機能と、
をコンピュータに実行させることを特徴とするプログラム。
【請求項１３】
コンテンツデータを再生するデータ再生装置におけるデータ検索方法をコンピュータに実行させるためのプログラムであって、
特定の日時情報と、現在の日時情報と、過去に再生されたコンテンツデータと該コンテンツデータが再生された日時についての情報である再生日時情報とを関連付けた再生履歴データとを取得し、
前記特定の日時情報と、前記現在の日時情報と、前記再生履歴データとを用いて、現在再生するにふさわしいと推測されるコンテンツデータを検索する機能をコンピュータに実行させることを特徴とするプログラム。
【発明の詳細な説明】
【０００１】
【発明の属する技術分野】
本発明は、音声情報や映像情報などのコンテンツデータを再生するデータ再生装置、該データ再生装置においての再生するにふさわしいコンテンツデータの検索方法、およびデータ再生方法並びにコンテンツデータを再生するデータ再生装置におけるデータ検索方法をコンピュータに実行させるためのプログラムに関する。
【０００２】
【従来の技術】
近年、ハードディスク等の記録媒体の大容量化、低価格化により、音声情報や映像情報などのコンテンツデータを、デジタルデータのまま記録媒体に記録し、このデジタルデータを再生することが可能な装置が出現している。また、データ圧縮技術の進歩に伴い、上記デジタルデータに、情報の劣化を低く抑えながら、高効率な圧縮を施すことにより、より多くのコンテンツデータを記録することが可能となってきている。
【０００３】
図２に、記録媒体としてハードディスクを備え、コンテンツデータとして楽曲データを扱う再生装置の概略構成図を示す。
【０００４】
図２に示す再生装置２は、バス２００に接続された記録・再生部２０１と、バス２００に接続されたハードディスク（図においては、ＨＤと記す）２０２と、バス２００に接続された制御部２０４と、バス２００に接続された表示部２０５と、バス２００に接続された入力部２０６とを備える。ハードディスク２０２は、データベース（図においては、ＤＢと記す）２０３を有する。記録・再生部２０１は、入力インターフェイス（図においては、ＩＮＰＵＴと記す）２０１１と、出力インターフェイス（図においては、ＯＵＴＰＵＴと記す）２０１２とを有する。制御部２０４は、ＣＰＵ（Ｃｅｎｔｒａｌ　Ｐｒｏｃｅｓｓｉｎｇ　Ｕｎｉｔ）２０４１を有する。制御部２０４は、図示せぬ記憶部に格納されたプログラムを、ＣＰＵ２０４１で実行することにより、その機能を実現することができる。
【０００５】
再生される楽曲データは、入力インターフェイス２０１１から記録・再生部２０１に入力される。入力された楽曲データがアナログデータである場合には、記録・再生部２０１において、アンプ（図示せず）にて適正な振幅とされた後に、ＡＤ（アナログデジタル）コンバータ（図示せず）にてデジタル化される。入力された楽曲データがデジタルデータである場合には、入力インターフェイス２０１１を介してデータ部分が抽出されるが、デジタル入力においては、楽曲データの著作権者の意向によって、デジタルでのコピー、リッピング等を禁止する信号が記録されていることもある。そこで、記録・再生部２０１において、上記信号を検出し、コピー、リッピング等の動作を行わないよう制御する回路が備わっている場合がある。
【０００６】
デジタルデータは、データサイズを縮小する場合に、記録・再生部２０１のエンコード部（図示せず）にて圧縮される。楽曲データの圧縮方法としては、多くの種類が存在するが、一例として、ＭＰＥＧ　ａｕｄｉｏ　ｌａｙｅｒ　３（ＭＰ３）、Ａｄａｐｔｉｖｅ　Ｔｒａｎｓｆｏｒｍ　Ａｃｏｕｓｔｉｃ　Ｃｏｄｉｎｇ　３（ＡＴＲＡＣ３）、Ｗｉｎｄｏｗｓ　Ｍｅｄｉａ　Ａｕｄｉｏ（ＷＭＡ）などが使用されている。ここで、「ＡＴＲＡＣ」および「Ｗｉｎｄｏｗｓ　Ｍｅｄｉａ」は、各々登録商標である。
【０００７】
そして、デジタルデータ（楽曲データ）は、記録・再生部２０１により、ハードディスク２０２に記録される。
【０００８】
一例として、ハードディスクの容量を２０ＧＢ（ギガバイト＝１０の９乗バイト）、圧縮方法としてＭＰ３、ビットレートを１２８ｋｂｐｓとした場合、約２００００分の記録が可能となる。これは、楽曲データを１曲４分として、約５０００曲、アルバムを１０曲入りとして５００枚に相当するものである。
【０００９】
ハードディスク２０２に記録された楽曲データの各々は、他の楽曲データと識別するためのユニークな識別ＩＤを制御部２０４により付与されて、データベース２０３に登録される。図３に、このような楽曲データ登録時の管理データベース例を示す。
【００１０】
図３に示す管理データベースは、上記識別ＩＤ（登録ＩＤ）３０１と、該登録ＩＤ３０１で示される楽曲データ本体を示すファイル名３０３と、該ファイル名３０３のファイルが存在するハードディスク２０２内の場所を特定するための情報であるパス名３０２と、前記ファイル名３０３のファイルが登録された日時を示す登録日時３０４とを、関連付けて格納する。この管理データベースを格納するハードディスク２０２のファイルフォーマットによっては、ファイル名３０３を、登録ＩＤ３０１と兼ねることも可能である。
【００１１】
この登録ＩＤを用いれば、記録された楽曲データを特定することが可能であるが、使用者が希望する楽曲を、たくさんのデータの中から登録ＩＤのみで探し出すことは困難なので、通常、使用者が楽曲データを特定しやすい情報を、関連付けることが行われている。
【００１２】
使用者は、楽曲データをハードディスクに記録する際、その楽曲データのアーティスト名やアルバム名、曲名等と、登録ＩＤと楽曲データとをデータベースに関連付けることで、簡単に希望する楽曲データを選択することが可能となる。
【００１３】
図７に楽曲データの登録画面例を、図４から図６にそれぞれの管理データベース例を示す。
【００１４】
使用者は、図２の概略構成図における表示部２０５に表示されている登録画面に対して、入力部２０６により、記録した楽曲データの関連情報を登録する。図７に示した登録画面例においては、使用者は、登録画面に対して、楽曲データの関連情報として、曲名７０１と、アーティスト名７０２と、アルバム名７０３とを登録することができる。また、アルバム単位で登録した場合に、トラック番号順に再生するために、トラック番号（図においては、トラックＮｏと記す）７０４を登録することもできる。
【００１５】
登録された曲名は、制御部２０４により、ユニークな値を有する楽曲ＩＤと共に、図４に示すようなデータベースに管理される。図４に示したデータベースによれば、楽曲ＩＤ４０１と、曲名４０２と、トラックＮｏ４０３とを、関連付けて管理することができる。この時、登録ＩＤに対して直接曲名を関連付けてもよいが、このように楽曲ＩＤで関連付けることによって、例えば、アーティストが異なる同名の楽曲が存在した場合に、混同することなく、検索および再生をおこなうことができる。
【００１６】
同様にして、アーティスト名やアルバム名についても、ユニークな識別番号と関連付けられたデータベースを、制御部２０４により作成する。これらのデータベース例を、図５および図６に示す。図５に示したデータベースによれば、アーティストＩＤ５０１と、アーティスト名５０２とを、関連付けることができる。図６に示したデータベースによれば、アルバムＩＤ６０１と、アルバム名６０２とを、関連付けることができる。
【００１７】
これらの、曲名、アーティスト名、アルバム名などは、楽曲ＩＤ、アーティストＩＤ、アルバムＩＤなどにより、図８に示すように、登録ＩＤ毎に対応付けられて、データベースにて管理される。図８に示したデータベースによれば、登録ＩＤ８０１と、楽曲ＩＤ８０２と、アーティストＩＤ８０３と、アルバムＩＤ８０４と、トラックＮｏ８０５とを、関連付けることができる。
【００１８】
このように管理されたデータベースを用いると、使用者が、曲名、アーティスト名、アルバム名から、登録した楽曲データを入力部２０６により指定して、ハードディスク２０２から選択することが可能となり、希望する楽曲データを、記録・再生部２０１で再生することができる。
【００１９】
一例として、アーティスト名から選択する場合、制御部２０４により、図５のデータベースから、登録されているアーティスト名を表示部２０５に表示させて、使用者に入力部２０６により選択させる。例えば、「ＢＢＢＢ」を選択した場合、対応するアーティストＩＤは、「ＲＡ００００２」であることが、制御部２０４により、図５のデータベースからわかる。図８のデータベースにより、アーティストＩＤ「ＲＡ００００２」に対応する登録ＩＤは、「ＡＡ００００２」、「ＡＡ００００３」、および「ＡＡ００００４」であることが、制御部２０４によりわかる。さらに、制御部２０４により、図８のデータベースから、登録ＩＤに対応する楽曲ＩＤがわかり、図４のデータベースから、この楽曲ＩＤに対応する曲名がわかるので、表示部２０５により、曲名をも表示することができる。
【００２０】
上記例においては、楽曲の関連情報を、使用者自らが、再生装置に対して入力していたが、楽曲データの記録媒体によっては、楽曲の関連情報を、自動的に入手できるものがある。
【００２１】
例えば、ＣＤ−ＴＥＸＴは、ディスク内のサブコードに、楽曲の関連情報が記録されている。また、モデムやＮＩＣ（ＮＥＴＷＯＲＫ　ＩＮＴＥＲＦＡＣＥ　ＣＡＲＤ）を介して、インターネット上に存在するＣＤＤＢ（ＣＤ　Ｄａｔａ　Ｂａｓｅ）からも、ＣＤのＴＯＣ（Ｔａｂｌｅ　ｏｆ　Ｃｏｎｔｅｎｔｓ）情報などを用いて、使用者が入力することなく、関連情報を入手することが可能である。
【００２２】
このように、楽曲の関連情報を自動的に入手し、使用者がアーティスト名やアルバム名等を選択して指定し、この指定に基づいて楽曲データを再生するオーディオプレイヤの一例が、特開２００２−２３７７１号公報に開示されている。
【００２３】
【発明が解決しようとする課題】
しかし、上記方法以外で楽曲データを選択するとなると、使用者が予め楽曲データの検索に用いるための分類を行い、楽曲データの関連情報の入力と同様に、検索用のデータベースを作成する必要がある。しかし、楽曲が予め所有している関連情報以外の検索とは、使用者の趣味、嗜好、環境等、個人的なものであり、一意的に定義できるものではない。したがって、使用者が検索したい項目でユニークなＩＤを作成して、対応する楽曲データと関連させる必要がある。
【００２４】
たとえば、「気分が落ち込んでいる時に聞きたい楽曲」や「体調がよい時に聞きたい楽曲」として選択したい場合、「気分が落ち込んでいる時に聞きたいＩＤ」や「体調がよい時に聞きたいＩＤ」を作成して、対応する楽曲ＩＤと関連付けて登録しておき、希望する項目に対応するこれまでに登録している楽曲ＩＤの中から、使用者が選択しなければならない。
【００２５】
そこで、本発明の目的は、上記課題とするところのデータ再生装置に記録されたデータを選択する際に、選択するにふさわしいと推測されるデータを容易に選択することができる、データ再生装置、データ検索方法、およびデータ再生方法を提供することである。
【００２６】
より具体的には、本発明の目的は、上記課題とするところのデータ再生装置に記録されたデータを選択する際に、直接データを指定する方法でも、全くランダムに指定する方法でもない方法で、かつ、使用者が希望すると推測されるデータを検索することができ、かつ、選択するために必要な登録作業等を強いることのない、データ再生装置、データ検索方法、およびデータ再生方法を提供することである。
【００２７】
【課題を解決するための手段】
上記課題を解決するために、本発明によれば、コンテンツデータを再生するデータ再生装置において、使用者の生年月日と現在の日時情報とから算出される情報と、使用者の生年月日と使用者が過去にコンテンツデータを再生した時の日時情報とから算出される情報をもとに、現在再生するにふさわしいと推測されるコンテンツデータを検索するものである。
【００２８】
より具体的には、本発明によれば、
コンテンツデータを再生するデータ再生装置であって、
特定の日時情報（使用者の生年月日）を記憶する日時情報記憶手段と、
現在の日時情報を生成する日時情報生成手段と、
コンテンツデータに対する使用者の選択を受け付けて、この選択に基づいてコンテンツデータを再生した場合に、再生されたコンテンツデータと、再生をおこなった日時についての情報である再生日時情報とを関連付けた再生履歴データを生成する再生履歴データ生成手段と、
前記日時情報記憶手段により記憶された特定の日時情報と、前記日時情報生成手段により生成された現在の日時情報と、前記再生履歴データとを用いて、現在再生するにふさわしいと推測されるコンテンツデータを検索して抽出するコンテンツデータ検索手段と、
該コンテンツデータ検索手段により検索して抽出されたコンテンツデータを再生する再生手段と、
を、有することを特徴とするデータ再生装置を提供することができる。
【００２９】
また、本発明によれば、
コンテンツデータを再生するデータ再生装置であって、
特定の日時情報（使用者の生年月日）と、現在の日時情報と、過去に再生されたコンテンツデータと該コンテンツデータが再生された日時についての情報である再生日時情報とを関連付けた再生履歴データとを取得し、
前記特定の日時情報と、前記現在の日時情報と、前記再生履歴データとを用いて、現在再生するにふさわしいと推測されるコンテンツデータを検索して抽出するコンテンツデータ検索手段と、
該コンテンツデータ検索手段により検索して抽出されたコンテンツデータを再生する再生手段と、
を、有することを特徴とするデータ再生装置を提供することもできる。
【００３０】
【発明の実施の形態】
本発明の実施の形態を説明する。
【００３１】
図１に、本発明の実施の形態の一例であるところの再生装置の概略構成図を示す。
【００３２】
図１に示す再生装置１は、バス１００に接続された記録・再生部１０１と、バス１００に接続されたハードディスク（図においては、ＨＤと記す）１０２と、バス１００に接続された制御部１０４と、バス１００に接続された表示部１０５と、バス１００に接続された入力部１０６と、バス１００に接続された日時情報生成部１０７と、バス１００に接続された生年月日記憶部１０８とを備える。ハードディスク１０２は、データベース（図においては、ＤＢと記す）１０３を有する。記録・再生部１０１は、入力インターフェイス（図においては、ＩＮＰＵＴと記す）１０１１と、出力インターフェイス（図においては、ＯＵＴＰＵＴと記す）１０１２とを有する。制御部１０４は、ＣＰＵ（Ｃｅｎｔｒａｌ　Ｐｒｏｃｅｓｓｉｎｇ　Ｕｎｉｔ）１０４１を有する。制御部１０４は、図示せぬ記憶部に格納されたプログラムを、ＣＰＵ１０４１で実行することにより、その機能を実現することができる。
【００３３】
図１に示す再生装置１には、上記従来技術で説明した再生装置２に加えて、日時情報生成部１０７と、生年月日記憶部１０８とが設けられている。
【００３４】
日時情報生成部１０７は、現在の日時・時刻を取得するためのもので、水晶等の正確なパルス発振器からのパルス数を制御部１０４がカウントして、設定した初期値から秒・分・日時情報に変換している。また、装置の電源が切れた場合でも大丈夫なように電池等によるバックアップを行うなどの対策を施す場合もある。
【００３５】
生年月日記憶部１０８は、使用者の生年月日を登録・記憶するためのもので、再生装置１を最初に起動した際に、表示部１０５にて使用者の生年月日を登録する旨の生年月日登録画面を表示して、キーボード等による入力部１０６により使用者の生年月日を入力して記憶する。図９に、上記生年月日登録画面の一例を示す。また、図１においては生年月日記憶部１０８は独立して存在しているが、ハードディスク１０２等の記録媒体中に生年月日を記録してもよい。また、生年月日は、生年月日記憶部１０８又はハードディスク１０２等の記録媒体に更新登録することもできる。
【００３６】
この再生装置１において、ハードディスク１０２に登録ＩＤを付与した楽曲データを記録しておき、これらの楽曲データを記録・再生部１０１にて再生する。この再生の際に、制御部１０４は、日時情報生成部１０７から取得した情報である再生日時情報を、再生した楽曲データの登録ＩＤと関連付けて、データベースに自動的に記録していく。このデータベースを再生履歴データベースと称する。
【００３７】
図１０に、上記再生履歴データベースの一例を示す。図１０に示した再生履歴データベースにおいては、再生日時情報１００１と、登録ＩＤ１００２とが格納されている。
【００３８】
図１１に、上記再生日時情報を用いて、上記再生履歴データベースを作成する処理のフローチャートを示す。
【００３９】
まず、使用者により、入力部１０６から楽曲データの再生指示がなされる（ステップＳ１１０１）。すると、制御部１０４は、その時の再生日時情報を、日時情報生成部１０７から取得する（ステップＳ１１０２）。次に、制御部１０４は、取得した再生日時情報を、再生を指示された楽曲データの登録ＩＤと関連付けて、再生履歴データベースへ登録する（ステップＳ１１０３）。
【００４０】
この再生履歴データベースの内容は、再生すべく選択した楽曲データと、この楽曲データを再生した日時情報との関連付けなので、同一の楽曲を複数回選択した場合でも、全ての時刻が登録されることになる。
【００４１】
再生日時情報の再生履歴データベースへの登録方法として、楽曲データを設定時間以上再生した場合のみ、再生したと判断して再生日時情報を記録し、楽曲データの再生を設定時間未満で停止した場合、もしくは他の楽曲へ変更した場合は、使用者が目的とする楽曲データではないと判断して、再生日時情報を記録しないこととしてもよい。
【００４２】
図１２に、このような再生時間による再生履歴データベースへの登録の分岐処理のフローチャートを示す。
【００４３】
使用者が、入力部１０６により楽曲データの再生を指示したならば（ステップＳ１２０１）、制御部１０４は、再生日時情報を日時情報生成部１０７から取得する（ステップＳ１２０２）。再生開始から、予め定められた設定時間ｔが経過したかどうかを判定し（ステップＳ１２０３）、再生開始から設定時間ｔが経過したと判定された場合には、再生日時情報を再生履歴データベースへ登録して（ステップＳ１２０４）、終了する。ステップＳ１２０３において、再生開始から設定時間ｔが経過していないと判定された場合には、再生日時情報を再生履歴データベースへ登録せずに終了する。
【００４４】
さらに、再生日時情報の再生履歴データベースへの他の登録方法として、再生された楽曲データの選択方法がランダムによる選択の場合など、使用者が楽曲データを特定して選択していない場合には、再生日時情報を再生履歴データベースへ記録しないこととしてもよい。
【００４５】
図１３に、このような選択方法による再生履歴データベースへの登録の分岐処理のフローチャートを示す。
【００４６】
使用者が、入力部１０６により楽曲データの再生を指示したならば（ステップＳ１３０１）、再生を指示された楽曲データの選択方法が、使用者が楽曲名やアーティスト名、アルバム名などを特定して選択したものであるか、ランダム指定による選択であるかを判定する（ステップＳ１３０２）。
【００４７】
ステップＳ１３０２において、使用者が楽曲名やアーティスト名、アルバム名などを特定して選択したものであると判定された場合には、制御部１０４は、再生日時情報を日時情報生成部１０７から取得し（ステップＳ１３０３）、再生日時情報を再生履歴データベースへ登録して（ステップＳ１３０４）、終了する。
【００４８】
ステップＳ１３０２において、ランダム指定による選択であると判定された場合には、そのまま終了する。すなわち、この場合には、再生日時情報は再生履歴データベースへ登録されない。
【００４９】
このようにして、使用者の生年月日と、過去に再生した楽曲データの日時履歴とをとることで、本発明が目的とする検索方法を可能とすることができる。
【００５０】
ところで、人間の体調や感情、思考能力の良し悪しを数値として図る手法については、気学、生物学、統計学等数多く発表されている。
【００５１】
その中のひとつとして、生まれた日を基準として、特定の周期で人間の様々な状態が変化すると云われるものがあり、たとえば「バイオリズム」「四柱推命」「九星気学」「占星術」などである。
【００５２】
以下に、そのうちのひとつである「バイオリズム」を用いて、具体的に説明する。
【００５３】
「バイオリズム」とは、生物時計と云われる、人間がもつ一定周期のリズムで様々な状態が変化するというもので、身体・感情・知性の３種類の状態によって決まると云われている。
【００５４】
図１４に、身体・感情・知性それぞれのリズムの周期を示す。
【００５５】
身体リズム１４０１とは、体力・耐久力などを表し、２３日周期で繰り返される。
【００５６】
感情リズム１４０２とは、感情・気分などを表し、２８日周期で繰り返される。
【００５７】
知性リズム１４０３とは、知力・思考力などを表し、３３日周期で繰り返される。
【００５８】
それぞれの周期において、前半の半周期を活動期（高調期）、後半の半周期を休息期（低調期）と呼ぶ。また、活動期から休息期、休息期から活動期に移る時を、特に要注意日としている。
【００５９】
これら３種のリズムは、人の誕生日を基点として計算することで、任意の日の状態を算出することができる。そして、この算出された状態に基づいて、再生装置において、再生すべき楽曲データを検索して再生することができる。
【００６０】
使用者が、この方法による検索を選択したならば、まず、使用者のその時の状態を算出する。この処理のフローチャートを、図１５に示す。
【００６１】
制御部１０４は、生年月日記憶部１０８に予め登録してある使用者の生年月日から、日時情報生成部１０７で得られる現在の日時までの日数を求める（ステップＳ１５０１）。
【００６２】
ステップＳ１５０１で求められた日数により、使用者の身体リズム、感情リズム、知性リズムのそれぞれの現在の状態を算出する（ステップＳ１５０２）。使用者の身体リズム、感情リズム、知性リズムは、使用者の誕生日を基点とした一定周期を有する正弦波に置き換えることが可能である。そして、使用者の身体リズム、感情リズム、知性リズムのそれぞれの現在の状態は、位相、または振幅を１とした場合の次の式で表される。
【００６３】
【数１】
2004070495.tif 000003
【００６４】
ここで、ｔは使用者の誕生日から現在の日時までの日数、Ｔは求める状態リズムの周期、（）内の単位はｒａｄ（ラジアン）である。位相を、単位を度として表す場合には、ｔをＴで割った値の小数部分に、３６０を乗じた値となる。
【００６５】
具体的な例として、使用者の生年月日を西暦１９７０年５月２０日、現在の日時を西暦２００１年１１月１７日とした場合、使用者の生年月日から現在までの日数は１１５０４日である（ステップＳ１５０１）。
【００６６】
次に、それぞれのリズムの状態を上記式（数１）により算出する（ステップＳ１５０２）。
【００６７】
身体リズムは、２３日周期なので、
【００６８】
【数２】
2004070495.tif 000004
【００６９】
位相は６３度である。
【００７０】
次に、感情リズムは、２８日周期なので、
【００７１】
【数３】
2004070495.tif 000005
【００７２】
位相は３０９度である。
【００７３】
次に、知性リズムは、３３日周期なので、
【００７４】
【数４】
2004070495.tif 000006
【００７５】
位相は２１８度である。
【００７６】
以上により、バイオリズムによるところの現在の状態は、身体リズムは活動期であり、感情リズムは休息期であり、知性リズムは休息期であることがわかる。
【００７７】
使用者の現在の状態が求められたので、次に、使用者がこれまで再生装置において選択し再生した楽曲データについての再生日時情報を、再生履歴データベースから取得する。そして、取得された再生日時における使用者の身体リズム、感情リズム、知性リズムの状態を、同様に演算し、既に求められた現在の使用者の状態と一致、または現在の使用者の状態に対して設定した範囲内に当てはまる楽曲データを検索する。
【００７８】
ここで、上記の使用者の状態に対する範囲の設定方法の一例について説明する。
【００７９】
上記のように、バイオリズムは、身体リズム、感情リズム、知性リズムの組み合わせで、人間の状態を計算しており、誕生日を基点として、身体リズムを２３日周期、感情リズムを２８日周期、知性リズムを３３日周期の正弦波として表すことができる。
【００８０】
また、上記のように、バイオリズムの周期については、正弦波の前半の半周期を活動期（高調期）、後半の半周期を休息期（低調期）と呼ぶ。また、高調期から低調期に移る時、および、低調期から高調期に移る時を、特に要注意日としている。したがって、バイオリズムの分類としては、高調期、低調期、要注意日（高調期から低調期に移る時）、要注意日（低調期から高調期に移る時）の４つを考えることができる。
【００８１】
また、要注意日に対して、高調期および低調期の頂点付近を安定期とし、さらに、高調期および低調期をそれぞれ２分割して、前半を上昇期（要注意日から高調期に移る時、また、要注意日から低調期に移る時）、後半を下降期（高調期から要注意日に移る時、また、低調期から要注意日に移る時）と、分類することができる。
【００８２】
図１６に、バイオリズムの周期を正弦波で表した図を示す。
【００８３】
本実施の形態においては、正弦波の位相で表し、高調期を１０度以上１７０度未満、要注意日（高調期から低調期に移る時）を１７０度以上１９０度未満、低調期を１９０度以上３５０度未満、要注意日（低調期から高調期に移る時）を３５０度以上１０度未満と考えることとする。位相の数値は、これに限るものではないが、ここでは、一例として、上記のように考えることとする。
【００８４】
バイオリズムを、高調期、低調期、要注意日（高調期から低調期に移る時）、および、要注意日（低調期から高調期に移る時）の４つに分類した場合、要注意日が１日から２日程度であり、ほとんどが高調期または低調期となる。本実施の形態においては、なるべく使用者の体調（気分）にあった楽曲の検索を行うようにするために、要注意日に対して、８０度以上１００度未満、２６０度以上２８０度未満を安定期と考える。また、高調期および低調期をそれぞれ２分割して、前半を上昇期、後半を下降期と考える。
【００８５】
以上のような観点から、本実施の形態においては、検索用の分類を、
１０度以上８０度未満　　：高調期の上昇期
８０度以上１００度未満　：高調期の安定期
１００度以上１７０度未満：高調期の下降期
１７０度以上１９０度未満：要注意日
１９０度以上２６０度未満：低調期の上昇期
２６０度以上２８０度未満：低調期の安定期
２８０度以上３５０度未満：低調期の下降期
３５０度以上１０度未満　：要注意日
とし、上記現在の使用者の状態に対する範囲の設定方法の一例とする。
【００８６】
上記楽曲データの検索の具体的な例を、図１０に示した再生履歴データベースの例と、図１８に示す検索画面構成例と、図１７に示す検索処理のフローチャートを用いて説明する。
【００８７】
まず、制御部１０４により使用者の現在の状態が求められた時点で、図１８に示した検索画面の上半分に示すように、使用者の生年月日、現在の日時、使用者の現在の状態、および、検索ボタン１８０１が、表示部１０５に表示される。この検索画面において、使用者が、検索ボタン１８０１をマウス等でクリックするなどして指示する（入力部１０６により指示する）と、制御部１０４により図１７に示した検索処理が開始される。
【００８８】
まず、再生履歴データベースに格納された全ての登録ＩＤに対応する楽曲データについて、使用者の生年月日から再生日時までの日数を算出し、上述したような方法により、その楽曲を再生した際の使用者の状態を演算する（ステップＳ１７０１）。
【００８９】
次に、ステップＳ１７０１における演算結果が、上記現在の使用者の状態に対する設定範囲内であるかどうかを判定する（ステップＳ１７０２）。
【００９０】
ステップＳ１７０２において、上記現在の使用者の状態に対する設定範囲内であると判定された場合には、ステップＳ１７０３へ進み、該当データを、検索画面へ表示する。この後、ステップＳ１７０４へ進む。ステップＳ１７０２において、設定範囲内でないと判定された場合には、ステップＳ１７０４へ進む。
【００９１】
ステップＳ１７０４においては、再生履歴データベース内の全てのデータについて処理が終了したか否かを判定する。ステップＳ１７０４において、再生履歴データベース内の全てのデータについて処理が終了したと判定された場合には、処理を終了する。ステップＳ１７０４において、まだ処理が終了していないデータがあると判定された場合には、ステップＳ１７０１に戻る。
【００９２】
図１０に示した再生履歴データベースに格納された登録ＩＤに対応する楽曲データについて、演算を行うと、まず、１９９９年８月１０日に再生した登録ＩＤ、ＡＡ００００１については、身体リズム３１度、感情リズム７７度、知性リズム１６４度であり、現在の状態と異なる分類（設定範囲）となる。
【００９３】
次に、１９９９年１０月１２日に再生した登録ＩＤ、ＡＡ００００２については、身体リズム２９７度、感情リズム１６７度、知性リズム１３１度であり、現在の状態と異なる分類となる。
【００９４】
同様にして、再生履歴データベースに格納されたすべての登録ＩＤに対応する楽曲データについて、演算を行っていく。すると、２００１年６月６日に再生した登録ＩＤ、ＡＡ００００２について、身体リズム６３度、感情リズム３４７度、知性リズム２０７度となり、現在の状態と同じ分類となる。そこで、この情報を、図１８に示した検索画面の下半分に示すように、表示する。再生履歴データベース内の全てのデータについて検索処理が終了しているので、ここで、図１８に示した再生ボタン１８０２をマウス等でクリックするなどして指示する（入力部１０６により指示する）と、登録ＩＤ、ＡＡ００００２に対応した楽曲データを、記録・再生部１０１により再生する。
【００９５】
以上のようにして検索された楽曲データは、使用者が現在の状態と近い状態のときに、使用者自ら選択した実績のある楽曲データなので、全くランダムに選択した場合や、第三者が予め定めた検索ＩＤを用いて検索した場合より、使用者の現在の状態に相応した楽曲データを選択することが可能となる。
【００９６】
また、図１９のフローチャートに示すように、上記のように検索処理を行った結果、同一の楽曲データが複数検索された場合、より現在の状態で再生されるべき楽曲データとして、検索回数の多い順に再生してもよい。
【００９７】
ここで、図１９のフローチャートの処理について説明する。上記図１７に示した検索処理が終了すると（ステップＳ１９０１）、制御部１０４は、登録ＩＤごとに、現在の状態と同じ分類の状態において再生された回数（検索された回数）をカウントする（ステップＳ１９０２）。そして、制御部１０４は、検索された回数が多い順に、登録ＩＤを表示部１０５に表示される検索画面に表示し、使用者から入力部１０６により再生指示を受けた場合に、制御部１０４の制御により検索された回数が多い順に、登録ＩＤに対応する楽曲データを記録・再生部１０１により再生する（ステップＳ１９０３）。
【００９８】
また、検索結果を再生する場合に、たとえ複数回検索された楽曲データでも、１回として再生するようにしてもよい。前述した実施形態では、表示部１０５に図１８に示す画面を表示し、使用者が入力部１０６を用いて指示することにより、楽曲データの検索と検索により抽出された楽曲データの再生とを実行しているが、使用者が生年月日に基づく楽曲再生を実行するモードを選択（例えば、入力部１０６が備える「バイオリズム再生」のモードの選択）した場合に、自動的に楽曲データの検索・再生を行うようにしてもよい。
【００９９】
【発明の効果】
以上説明したとおり、本発明によれば、データ再生装置に記録されたデータを選択する際に、選択するにふさわしいと推測されるデータを容易に選択することができる、データ再生装置、データ検索方法、およびデータ再生方法を提供することができる。
【０１００】
より具体的には、本発明によれば、データ再生装置に記録されたデータを選択する際に、直接データを指定する方法でも、全くランダムに指定する方法でもない方法で、かつ、使用者が希望すると推測されるデータを検索することができ、かつ、選択するために必要な登録作業等を強いることのない、データ再生装置、データ検索方法、およびデータ再生方法を提供することができる。
【図面の簡単な説明】
【図１】本発明の実施の形態の一例であるところの再生装置の概略構成図。
【図２】従来の再生装置の概略構成図。
【図３】楽曲データ登録時の管理データベース例を示すデータ構成図。
【図４】管理データベース例を示すデータ構成図。
【図５】管理データベース例を示すデータ構成図。
【図６】管理データベース例を示すデータ構成図。
【図７】楽曲データの登録画面例を示す説明図。
【図８】管理データベース例を示すデータ構成図。
【図９】生年月日の登録画面例を示す説明図。
【図１０】再生履歴データベース例を示すデータ構成図。
【図１１】再生履歴データベースを作成する処理のフローチャート。
【図１２】再生時間による再生履歴データベースへの登録の分岐処理のフローチャート。
【図１３】選択方法による再生履歴データベースへの登録の分岐処理のフローチャート。
【図１４】身体・感情・知性それぞれのリズムの周期を示す説明図。
【図１５】使用者の状態を算出する処理のフローチャート。
【図１６】バイオリズムの周期を正弦波で表した説明図。
【図１７】検索処理のフローチャート。
【図１８】検索画面例を示す説明図。
【図１９】検索回数の多い順にデータを再生する処理のフローチャート。
【符号の説明】
１０１，２０１　記録・再生部
１０１１，２０１１　入力インターフェイス
１０１２，２０１２　出力インターフェイス
１０２，２０２　ハードディスク
１０３，２０３　データベース
１０４，２０４　制御部
１０４１，２０４１　ＣＰＵ
１０５，２０５　表示部
１０６，２０６　入力部
１０７　日時情報生成部
１０８　生年月日記憶部
【図１】
2004070495.tif 000007
【図２】
2004070495.tif 000008
【図３】
2004070495.tif 000009
【図４】
2004070495.tif 000010
【図５】
2004070495.tif 000011
【図６】
2004070495.tif 000012
【図７】
2004070495.tif 000013
【図８】
2004070495.tif 000014
【図９】
2004070495.tif 000015
【図１０】
2004070495.tif 000016
【図１１】
2004070495.tif 000017
【図１２】
2004070495.tif 000018
【図１３】
2004070495.tif 000019
【図１４】
2004070495.tif 000020
【図１５】
2004070495.tif 000021
【図１６】
2004070495.tif 000022
【図１７】
2004070495.tif 000023
【図１８】
2004070495.tif 000024
【図１９】
2004070495.tif 000025